(57)【特許請求の範囲】
【請求項１】
乳幼児を床マットに寝かせベルトで乳幼児の動きを拘束するようにしたおむつ交換台の乳幼児拘束ベルトにおいて、前記床マットに対して着脱可能に設けられたプレートを有し、
前記プレートは、プレート用板材と、このプレート用板材に埋め込まれたナットと、前記プレート用板材上に設けられたプレート用ウレタンと、このプレート用ウレタンを覆うプレート用表皮と、を備え、
このプレートと前記床マットで前記ベルトを挟持するようにしたことを特徴とする、おむつ交換台の乳幼児拘束ベルト。
【請求項２】
前記ベルトは、前記プレートの前記ナットの位置に相応して第１の穴が設けられていることを特徴とする、請求項１記載のおむつ交換台の乳幼児拘束ベルト。
【請求項３】
前記床マットは、前記プレートの前記ナットの位置に相応して第２の穴が設けられた床マット用板材と、前記プレートを嵌挿する凹部が所定箇所に形成された床マット用ウレタンと、前記床マット用ウレタンを覆うとともに前記プレートの前記ナットの位置に相応して第３の穴が設けられた床マット用表皮と、を備えていることを特徴とする、請求項２記載のおむつ交換台の乳幼児拘束ベルト。
【請求項４】
前記プレートと前記ベルトと前記床マットとは、前記第１の穴と前記第２の穴と前記第３の穴に挿通されたボルトが前記ナットと締結されることにより固定されることを特徴とする、請求項３記載のおむつ交換台の乳幼児拘束ベルト。
【請求項５】
前記プレートは、前記床マットの幅方向に対する長さが１００ｍｍ〜２５０ｍｍの範囲で形成されていることを特徴とする、請求項１〜４の何れかに記載のおむつ交換台の乳幼児拘束ベルト。
【請求項６】
前記プレートは、前記凹部に嵌挿されたとき前記床マットが形成する面と同一の平面を形成することを特徴とする、請求項３記載のおむつ交換台の乳幼児拘束ベルト。
【請求項７】
乳幼児を床マットに寝かせてベルトで乳幼児の動きを拘束するようにしたおむつ交換台の乳幼児拘束ベルトにおいて、前記床マットに対して着脱可能に設けられたプレートを有し、
前記プレートは、プレス成形によりナットを成形されていると共に切欠を有する板材と、プラスチック成形により前記ナットと同軸上にボルトを貫通させるボルト貫通穴を有する断面Ｌ字状の突起片を一面に成形したプレート材と、前記プレート材の一面の反対側の面上に設けられたプレート用ウレタンと、このプレート用ウレタンを覆うプレート用表皮と、から構成され、
上記突起片が上記切欠に係合して上記板材のナットと上記プレート材の突起片の貫通穴が同軸上に位置しており、
前記プレートと前記床マットで前記ベルトを挟持するようにしたことを特徴とする、おむつ交換台の乳幼児拘束ベルト。
【請求項８】
左右の側板と背板と床マットからなるおむつ交換台であって、
請求項１〜７の何れかに記載の乳幼児拘束ベルトを備えたことを特徴とする、おむつ交換台。
【請求項９】
複数連設していて、前記複数のおむつ交換台の相接した前記左右の側板の一方または両方を、前記相接するおむつ交換台の共通の側板としたことを特徴とする、請求項８記載のおむつ交換台。
【請求項１０】
前記おむつ交換台に、更に、乳幼児の身長を計測するための目盛が描かれた身長計測用ベッドを連設したことを特徴とする、請求項８又は９記載のおむつ交換台。
【発明の詳細な説明】
【０００１】
【発明の属する技術分野】
本発明はおむつ交換台の乳幼児拘束ベルトおよびおむつ交換台に関し、特に、乳幼児の拘束性を確保しながら、ベルトの交換および手入れを簡単に行うことができ、このおむつ交換台を複数設置した場合でも省スペース化を図ることができるおむつ交換台の乳幼児拘束ベルトおよびおむつ交換台に関する。
【０００２】
【従来の技術】
現在、公共施設、あるいは、駅，劇場，デパート，ショッピングモール等の人が多く集まる場所では、保護者が乳幼児に授乳したり休憩あるいはおむつ交換等を行う休憩室が設けられている。
【０００３】
図１１は、このような休憩室に設置されているおむつ交換台の例を示す斜視図である。図に示すように、このおむつ交換台は、左右の側板４０Ａ，４０Ｂ、背板５０と、棚板６０と、乳幼児を寝かせる床マット７０と、おむつ交換時に乳幼児が寝返りやハイハイ等で動き回るのを防止するためにウエスト近傍の位置で乳幼児を拘束するベルト９０Ａ，９０Ｂと、から構成されている。
以上の構成において、ベルト９０Ａ，９０Ｂは、この床マット７０の幅方向端部にそれぞれの一端がボルト等で固定されており、それぞれの他端にはそれぞれのベルト９０Ａ，９０Ｂを結合しその長さを調整するバックル９１Ａ，９１Ｂが設けられている。
このおむつ交換台によれば、乳幼児を床マット７０上に寝かせておむつを交換しようとするときに、乳幼児が多少激しい動きをしたとしても、ベルト９０Ａ，９０Ｂでその動きが拘束されているので、保護者は安心して乳幼児のおむつの交換等をすることができる。
【０００４】
しかし、このおむつ交換台によれば、ベルト９０Ａ，９０Ｂが床マット７０の幅方向端部にのみ固定されるものであるため、乳幼児の拘束性が悪いという問題がある。すなわち、ベルト９０Ａ，９０Ｂで乳幼児を固定するとき、ベルト９０Ａ，９０Ｂと乳幼児の間にどうしても隙間が生じざるを得ない。この隙間のため、乳幼児の動き次第では、ベルト９０Ａ，９０Ｂによる乳幼児の拘束が緩くなってしまう。拘束を強めると、逆に、乳幼児の安全性を損なってしまう。
【０００５】
このため、最近、乳幼児の拘束性をさらに向上させるようにしたおむつ交換台が提案されている。図１２は、この乳幼児の拘束性を向上させたおむつ交換台の例を示す斜視図である。図１１と同一の内容には同一の符号を付したので重複する説明は省略するが、このおむつ交換台は、乳幼児を拘束するためのベルト基部９２を床マット７０に縫合し、乳幼児のウエストの横幅（通常は、１００ｍｍ〜２５０ｍｍ）に合わせた位置でベルト９３をベルト基部９２から立ち上げるようにしたものである。
【０００６】
図１３は、このベルト９３部分の拡大断面図である。図に示すように、ベルト９３は、固定ひも９５によって、乳幼児のウエストの横幅にあわせた位置で床マット７０に縫着されたベルト基部９２上に固定されている。なお、このベルト基部９２を補強するために、床マット７０の板材７１上のウレタン７２を包み込む表皮７３の内側に、バッカー９４が設けられている。
【０００７】
このおむつ交換台によると、ベルト９３は乳幼児のウエストの横幅に合わせた位置でベルト基部９２から立ち上げられ、その位置からベルト９３を乳幼児の身体に回して隙間なく拘束できることになるので、乳幼児の拘束性を向上させることができる。
【０００８】
【発明が解決しようとする課題】
しかしながら、ベルトを乳幼児のウエストの横幅に合わせた位置で立ち上げ、その位置からベルトを乳幼児の身体に回して隙間なく拘束するようにした従来のおむつ交換台によれば、おむつ交換時における乳幼児の拘束性は向上するが、例えば、ベルトが破損したり汚れてしまって、交換あるいは清掃をしたいときには、ベルトおよびベルト基部が床マットに縫製・固定されているため、床マットごと交換しなければならず、交換や手入れのための作業が煩雑となるだけでなく、資源を無駄に利用することにもつながる。
【０００９】
一方、このようなおむつ交換台が設置される休憩室では、おむつ交換台を複数並べて設置する場合が多いが、このような休憩室では、通常、スペースにゆとりのない場合が多く、このようなおむつ交換台を複数並べて設置すると、スペースがとられてしまうという問題があった。
【００１０】
従って、本発明の目的は、乳幼児の拘束性を確保しながら、ベルトの交換および手入れを簡単に行うことができるおむつ交換台の乳幼児拘束ベルトを提供することにある。
【００１１】
本発明の他の目的は、おむつ交換台を複数並べて設置したとき、省スペース化を図ることができるおむつ交換台を提供することにある。
【００１２】
【課題を解決するための手段】
本発明は、上記の目的を達成するため、乳幼児のおむつを交換するために乳幼児を床マットに寝かせ、ベルトで乳幼児の動きを拘束するようにしたおむつ交換台の乳幼児拘束ベルトにおいて、床マットに対して着脱可能に設けられたプレートを有し、このプレートは、プレート用板材と、このプレート用板材に埋め込まれたナットと、プレート用板材上に設けられたプレート用ウレタンと、このプレート用ウレタンを覆うプレート用表皮と、を備え、このプレートと床マットでベルトを挟持するようにしたことを特徴とするおむつ交換台の乳幼児拘束ベルトを提供するものである。
【００１３】
以上の構成において、前記ベルトは、前記プレートのナットの位置に相応して第１の穴が設けられていることが望ましい。また、前記床マットは、プレートのナットの位置に相応して第２の穴が設けられた床マット用板材と、プレートを嵌挿する凹部が所定箇所に形成された床マット用ウレタンと、床マット用ウレタンを覆うとともにプレートのナットの位置に相応して第３の穴が設けられた床マット用表皮と、を備えていることが望ましい。また、プレートとベルトと床マットとは、第１の穴と第２の穴と第３の穴に挿通されたボルトが前記ナットと締結されることにより固定されることが望ましい。
【００１４】
また、前記プレートは、床マットの幅方向に対する長さが１００ｍｍ〜２５０ｍｍの範囲で形成されていることが望ましく、前記プレートは、前記凹部に嵌挿されたとき床マットが形成する面と同一の平面を形成することが望ましい。
【００１５】
さらに、本発明は、上記の目的を達成するため、乳幼児を床マットに寝かせてベルトで乳幼児の動きを拘束するようにしたおむつ交換台の乳幼児拘束ベルトにおいて、床マットに対して着脱可能にプレートを設け、このプレートを、プレス成形によりナットを成形すると共に切欠を有する板材と、プラスチック成形によりナットと同軸上にボルトを貫通させるボルト貫通穴を有する断面Ｌ字状の突起片を一面に成形したプレート材と、プレート材の一面の反対側の面上に設けたプレート用ウレタンと、このプレート用ウレタンを覆うプレート用表皮と、から構成し、突起片が切欠に係合して板材のナットとプレート材の突起片の貫通穴が同軸上に位置し、このプレートと床マットでベルトを挟持するようにすることが望ましい。
【００１６】
また、本発明は、上記の目的を達成するため、左右の側板と背板と床マットからなり、前述の乳幼児拘束ベルトを備えたおむつ交換台を提供するものである。
【００１７】
この場合、おむつ交換台に、更に、乳幼児の身長を計測するための目盛が描かれた身長計測用ベッドを連設してもよい。
【００１８】
上記の構成によれば、ベルトは、床マットと、この床マットに対して着脱可能に設けられたプレートで挟持されボルトでボルト締めされるので、乳幼児の拘束性を確保しながら、ベルトの交換および手入れを簡単に行うことができる。
【００１９】
【発明の実施の形態】
以下、添付図面を参照しながら、本発明の実施の形態を詳細に説明する。
図１は、本発明の実施の形態によるおむつ交換台の乳幼児拘束ベルトの構成を示す斜視図である。図１０〜図１２と同じ内容には同一の符号を付したので重複する説明は省略するが、図に示すように、本実施の形態によるおむつ交換台の乳幼児拘束ベルトは、ベルト９５を、床マット７０と、この床マット７０に対して着脱可能に設けられたベルトプレート１０で挟持しボルト２０でボルト締めするように構成したものである。
【００２０】
図２は、ベルトプレート１０と床マット７０とベルト９５の断面構造を示す図である。図に示すように、ベルトプレート１０は、板材１１と、この板材１１に埋め込まれたナット１２と、ナット１２が埋め込まれた板材１１の上にクッション材として載せられたウレタン１３と、これらを上から包み込むように覆う表皮としてのレザー張地１４と、から構成されている。なお、図中、ベルトプレート１０の横幅寸法ｌは、乳幼児の平均的なウェストサイズにあわせて１００ｍｍ〜２５０ｍｍ程度としている。
【００２１】
一方、床マット７０は、ベルトプレート１０のナット１２の位置に相応して穴７４が設けられた板材７１と、ベルトプレート１０の外形形状に相応する部分が窪み７６として凹形状にくり抜かれたウレタン７２と、これらを上から包み込むように覆いベルトプレート１０のナット１２の位置に相応して穴７５が設けられた表皮としてのレザー張地７３と、から構成されている。なお、ウレタン７２はクッション材として板材７１の上に載せられたものである。
【００２２】
また、ベルト９５には、中央部付近にベルトプレート１０のナット１２の位置に相応して取り付け穴９６が設けられている。
【００２３】
以下、本実施の形態によるおむつ交換台の乳幼児拘束ベルトの取り付け動作を図２を参照して説明する。
まず、ベルト９５の取り付け穴９６を床マット７０のレザー張地７３に設けられた穴７５にあわせる。次にベルトプレート１０のナット１２をこのベルト９５の取り付け穴９６およびレザー張地７３の穴７５に通し、その状態でベルトプレート１０を床マット７０のウレタン７２に設けられた窪み７６に押し込んで嵌め込む。そして、床マット７０の板材７１の穴７４からボルト２０を差し込んでナット１２に締結する。これにより、ベルトプレート１０とベルト９５が床マット７０に固定される。
【００２４】
図３は、この取り付けが完了した状態を示す断面図であり、図４はこれが取り付けられたおむつ交換台の斜視図である。これらの図に示すように、ベルトプレート１０を床マット７０のウレタン７２に設けられた窪み７６に嵌め込み、ボルト２０とナット１２を締結することにより、ベルトプレート１０とベルト９５が床マット７０に固定され、床マット７０のウレタン７２とベルトプレート１０のウレタン１３で形成する面がフラットとなる。このため、乳幼児をベルトプレート１０上に寝かせても乳幼児の背中に違和感を感じさせることはない。また、ベルト９５が破損したり汚れたりして交換や手入れが必要な場合には、ボルト２０をナット１２からはずすだけで容易に交換あるいは手入れをすることができる。また、ベルト９５のみ交換あるいは手入れするものであるため、その他の資源を有効に活用することができる。
【００２５】
図５は、ベルトプレートの他の例を示す図である。図に示すように、このベルトプレート１００は、板金プレスによりナット１１２を成形した板材１１０と、板材１１０に係合させる断面Ｌ字状の突起片１２２，１２５を一面にプラスチック成形したプレート材１２０と、から構成される。なお、板材１１０には、切欠１１１，１１３が形成されており、プレート材１２０の突起片１２２，１２５がこの切欠１１１，１１３に係合されるようになっている。また、プレート材１２０の突起片１２２にはボルト２０を貫通させるためのボルト貫通穴１２４が形成されている。また、プレート材１２０の突起片１２２，１２５が形成された面の反対側の面には、クッション材としてのウレタン１２３（図示せず）が載せられおり、その上をレザー張地１２１で覆っている。
【００２６】
図６は、この板材１１０とプレート材１２０を組み立ててベルトプレート１００とした状態を示す図である。図に示すように、プレート材１２０を板材１１０の切欠１１１，１１３にあわせて係合させたとき、板材１１０のナット１１２とプレート材１２０の突起片１２２の貫通穴１２４が同軸上に位置する。そこで、この同軸上にベルト９５の取り付け穴９６を位置させ、図示は省略したが、床マット７０の下方からボルト２０を貫通させてナット１１２と締結させることにより、ベルト９５が床マットに固定される。
【００２７】
このように、ベルトプレートをプレート材と板材の組み合わせによって構成することにより、ベルトプレートが経年使用により劣化したとしてもプレート材のみを交換すればよいので、交換に伴う費用の負担を最小限に抑えることができ、また、資源を有効に活用することができる。
【００２８】
図７は、本発明の他の実施の形態によるおむつ交換台を示す斜視図である。このおむつ交換台は、図１〜図６に記載した乳幼児拘束ベルトを備えたおむつ交換台を複数並べて設置したものであり、特徴としては、図に示すように、隣り合ったおむつ交換台１Ａおよび１Ｂのそれぞれの背板５０、棚板６０、床マット７０に挟み込まれるように中間側板８０を取り付けるようにしたものである。なお、図では、２つのおむつ交換台１Ａ，１Ｂを並べて設置した例を示しているが、これは説明の便宜のためであって、この台数に限定されるものではない。
【００２９】
図８はこのおむつ交換台の詳細な構造を示す図であり、図８（ａ）はその正面図、図８（ｂ）は図８（ａ）のＡ−Ａ線断面図、図８（ｃ）は図８（ａ）の一部を省略した平面図である。図１〜図６と同じ内容には同一の符号を付したので重複する説明は省略するが、図に示すように、このおむつ交換台では、相接するおむつ交換台１Ａおよび１Ｂの間に１つの中間側板８０を配置し、この中間側板８０の両側面に、相接する床マット７０を支持する床マット支持部材８１Ｂおよび乳幼児が床マット７０に寝かされたとき乳幼児の側部を保護する側部保護マット８２Ｂを設けている。
【００３０】
なお、図中、８１Ａは相接しない側の側板４０Ａ，４０Ｂに設けられた床マット支持部材であり、８２Ａは相接しない側の側板４０Ａ，４０Ｂに設けられた側部保護マットであり、８３は乳幼児が床マット７０に寝かされたとき乳幼児の頭部を保護する頭部保護マットである。
【００３１】
このように、１つの中間側板８０を相接するおむつ交換台に配置することにより、本来２枚の側板が必要であったところ、側板が１枚で済むことになる。このため、部品点数の削減および製造コストの低減を図ることができる。ひいては、側板が１枚で済むことになるため、複数のおむつ交換台を設置する際の省スペース化を図ることができる。
【００３２】
なお、複数のおむつ交換台を設置する際には、図９に示すように、例えば、車椅子を利用する保護者等が車椅子を収容できるようにするため床マットの幅を広くし、かつ、図示していないがその高さを他のおむつ交換台１Ａ，１Ｂより低くしたおむつ交換台１Ｃや、取り替えたおむつを捨てるダストボックス２００、あるいは、乳幼児の寝る方向に沿って身長を計測するための目盛が描かれた身長計測用ベッド３００を連設させてもよい。
【００３３】
図１０は、この身長計測用ベッド３００の詳細な構造を示す図であり、図１０（ａ）はその正面図、図１０（ｂ）はその平面図、図１０（ｃ）は図１０（ａ）のＢ−Ｂ線断面図である。図１〜図８と同じ内容には同一の符号を付したので重複する説明は省略するが、これらの図に示すように、身長計測用ベッド３００の床板３０１には、１０ｍｍ間隔で目盛が描かれており、１００ｍｍきざみで数値が表示されている。乳幼児をこの目盛に沿って寝かせたとき一目で身長を確認することができるようにするためである。また、この床板３０１の一端には、乳幼児が動くことによりこの身長計測用ベッド３００から落下しないように落下防止用止板３０２が設けられている。
【００３４】
このように、おむつ交換台にダストボックス２００や身長計測用ベッド３００を連設することにより、おむつ交換台の使い勝手を向上させることができる。加えて、中間側板８０でこれらを連設しているので、単体で設置した場合と比べて省スペース化を図ることができる。
【００３５】
【発明の効果】
以上説明したとおり、本発明によると、乳幼児のおむつを交換するために乳幼児を床マットに寝かせてベルトで乳幼児の動きを拘束するようにしたおむつ交換台の乳幼児拘束ベルトにおいて、床マットに対して着脱可能に設けられたプレートを有し、プレートと床マットでベルトを挟持するようにしたので、乳幼児の拘束性を確保しながら、ベルトの交換および手入れを簡単に行うことができる。
【００３６】
また、本発明によると、左右の側板と背板と床マットからなるおむつ交換台が複数連設されるおむつ交換台であって、複数のおむつ交換台が相接したとき左右の側板の一方または両方を、相接するおむつ交換台の共通の側板としたので、おむつ交換台を複数並べて設置したとき、省スペース化を図ることができる。
【図面の簡単な説明】
【図１】本発明の実施の形態によるおむつ交換台の乳幼児拘束ベルトの構成を示す斜視図である。
【図２】ベルトプレートと床マットとベルトの断面構造を示す図である。
【図３】本発明の実施の形態によるおむつ交換台の乳幼児拘束ベルトの取り付けが完了した状態を示す断面図であり、
【図４】図３に示す乳幼児拘束ベルトを取り付けたおむつ交換台の斜視図である。
【図５】ベルトプレートの他の例を示す図である。
【図６】図５に示した板材とプレート材を組み立ててベルトプレートとした状態を示す図である。
【図７】本発明の他の実施の形態によるおむつ交換台を示す斜視図である。
【図８】図７に示したおむつ交換台の詳細な構造を示す図であり、（ａ）はその正面図、（ｂ）は（ａ）のＡ−Ａ線断面図、（ｃ）は（ａ）の一部を省略した平面図である。
【図９】車椅子を利用する保護者用のおむつ交換台とダストボックスあるいは身長計測用ベッドを図８のおむつ交換台に連設させた例を示す図である。
【図１０】図９に示した身長計測用ベッドの詳細な構造を示す図であり、（ａ）はその正面図、（ｂ）はその平面図、（ｃ）は（ａ）のＢ−Ｂ線断面図である。
【図１１】公共施設等の休憩室に設置されている従来のおむつ交換台の例を示す斜視図である。
【図１２】乳幼児の拘束性を向上させた従来のおむつ交換台の例を示す斜視図である。
【図１３】図１２に示したベルト部分の拡大断面図である。
【符号の説明】
１Ａ，１Ｂ，１Ｃ    おむつ交換台
１０    ベルトプレート
１１    板材
１２    ナット
１３    ウレタン
１４    レザー張地
２０    ボルト
５０    背板
６０    棚板
７０    床マット
７１    板材
７２    ウレタン
７３    レザー張地
７４    穴
７５    穴
７６    窪み
８０    中間側板
８１Ａ，８１Ｂ    床マット支持部材
８２Ａ，８２Ｂ    側部保護マット
８３    頭部保護マット
９５    ベルト
９６    取り付け穴
１００  ベルトプレート
１１０  板材
１１１，１１３    切欠
１１２    ナット
１２０    プレート材
１２１    レザー張地
１２２，１２５    突起片
１２３    ウレタン
１２４    ボルト貫通穴
２００    ダストボックス
３００    身長計測用ベッド
３０１    床板
３０２    落下防止用止板
【図１】
0004753060.tif 000002
【図２】
0004753060.tif 000003
【図３】
0004753060.tif 000004
【図４】
0004753060.tif 000005
【図５】
0004753060.tif 000006
【図６】
0004753060.tif 000007
【図７】
0004753060.tif 000008
【図８】
0004753060.tif 000009
【図９】
0004753060.tif 000010
【図１０】
0004753060.tif 000011
【図１１】
0004753060.tif 000012
【図１２】
0004753060.tif 000013
【図１３】
0004753060.tif 000014